(57)【要約】【課題】意外性の面白味が出てしかも飽きることがなく、遊技の興趣を高めることができる弾球遊技機を提供する。【解決手段】遊技盤５の遊技領域５ａに球遊び装置Ａを設けた弾球遊技機Ｐであって、前記球遊び装置Ａは、ほぼ水平かつ前後に並置される複数本の支持棒３１，３１と、前記各支持棒３１，３１をその中心軸線と直交する面内で回転させる駆動手段３２と、を備え、前記各支持棒３１は、その回転動作に伴い前記両支持棒３１，３１間にパチンコ球Ｂが乗るか落下するような変形部３１ａを設けた構成からなる。【選択図】  図２
2004159931.tif 000002
【特許請求の範囲】
【請求項１】
遊技盤の遊技領域に球遊び装置を設けた弾球遊技機であって、前記球遊び装置は、ほぼ水平かつ前後に並置される複数本の支持棒と、前記各支持棒をその中心軸線と直交する面内で回転させる駆動手段と、を備え、前記各支持棒には、その回転動作に伴い前記両支持棒間にパチンコ球が乗るか落下するような変形部を設けた弾球遊技機。
【請求項２】
前記各支持棒は、全体に均等な外径となるように成形され、かつ、前記各支持棒には、その回転動作に伴い前記両支持棒間にパチンコ球が乗るか落下するような湾曲部を設けた請求項１記載の弾球遊技機。
【請求項３】
前記各支持棒が、透明部材により成形されている請求項１又は２記載の弾球遊技機。
【請求項４】
前記各支持棒が、正逆回転可能に設けられている請求項１又は２又は３記載の弾球遊技機。
【発明の詳細な説明】
【０００１】
【発明の属する技術分野】
本発明は、遊技盤の遊技領域に、パチンコ球が複雑で変化に富んだ動きをする球遊び装置を設けた弾球遊技機に関するものである。
【０００２】
【従来の技術】
弾球遊技機の一つであるパチンコ遊技機には、フィーバータイプと称されるものがある。この種のパチンコ遊技機は、遊技盤の遊技領域中央に液晶表示装置を備えたセンター役物が配置され、その下方にパチンコ球が入賞することにより前記液晶表示装置を電気的に作動させる始動入賞口、更にその下方に一度に多くの入賞球が得られる大入賞口がそれぞれ配置されている。前記センター役物は額縁状に成形され、その両側に遊技盤面を流下するパチンコ球が流入する球通過口が設けられると共に下側に成形されたステージ中央には、前記球通過口から流入して転動するパチンコ球を始動入賞口へ導くための凹部が設けられている（例えば、特許文献１参照。）。
【０００３】
【特許文献１】
特開平１１−１９２８９号公報（第２−３頁、図１−２）
【０００４】
【発明が解決しようとする課題】
しかしながら、前記センター役物におけるステージは、本来、その上面を転動するパチンコ球が始動入賞口へ入賞するのではないかという期待感を遊技者に抱かせるため、少しの間パチンコ球が滞留するように設けられたものであるが、そのステージは上面中央が一番低くなると共に前側へ少し下傾させてある。そこで、その上面を転動するパチンコ球は、少しの間左右に移動しつつ減衰して最終的に中央の凹部から下方へ落下するといった同じ単調な動作を繰り返すのみで、その動きが面白味に欠け遊技者に飽きられているのが現状であり、この打開策が強く望まれている。
そこで、本発明は上記課題に鑑みなされたもので、複数本の支持棒間の上面でパチンコ球があたかも踊るような変化のある動きをすることにより、意外性の面白味が出てしかも飽きることがなく、遊技の興趣を高めることができる弾球遊技機を提供することを目的とするものである。
【０００５】
【課題を解決するための手段】
かかる目的を達成するため、本発明の弾球遊技機は、遊技盤の遊技領域に球遊び装置を設けた弾球遊技機であって、前記球遊び装置は、ほぼ水平かつ前後に並置される複数本の支持棒と、前記各支持棒をその中心軸線と直交する面内で回転させる駆動手段と、を備え、前記各支持棒には、その回転動作に伴い前記両支持棒間にパチンコ球が乗るか落下するような変形部を設けた構成からなる。
【０００６】
そこで、前記各支持棒間の上面に乗ったパチンコ球は、あたかも踊るように非常に変化に富んだ奇抜な動きをすることから、意外性の面白味が出て遊技者の目を楽しませることができ、しかも飽きることがない。
【０００７】
前記各支持棒は、例えば、全体に均等な外径となるように成形され、かつ、前記各支持棒には、その回転動作に伴い前記両支持棒間にパチンコ球が乗るか落下するような湾曲部を設けて成形される。また、他に各支持棒の長手方向に沿って太径部と細径部をランダムに設けるようにしても良い。これらの場合、前後位置にある各支持棒は、その外形形状が線対称であっても良いが、できれば非対称のほうがその上面に乗るパチンコ球の動きに変化が付けられ面白い。
【０００８】
前記各支持棒は、透明部材、例えば透明な合成樹脂または硬質ガラスにより成形されることが好ましい。これにより、その上面に乗るパチンコ球があたかも宙に浮いているような錯覚を覚え、遊技の興趣が一層高められる。
【０００９】
前記各支持棒は、正逆回転可能に設けられていることが好ましい。このように各支持棒を互いに逆に回転させることにより、その上面に乗るパチンコ球が変化に富んだ奇抜な動きをする。これにより、遊技の興趣が一層高められる。
【００１０】
【発明の実施の形態】
以下、本発明に係る弾球遊技機の実施の形態を図面に基づき説明する。なお、弾球遊技機には、例えば、パチンコ遊技機、アレンジボールまたは雀球遊技機があるが、本発明にあっては、その一例としてフィーバータイプのパチンコ遊技機について説明する。図１は、本発明が適用されるパチンコ遊技機の正面図である。図において、１はパチンコ遊技機Ｐにおける木製の機枠であって、縦長方形枠状に成形されている。また、その前面に、額縁状をなす合成樹脂製の前面枠２が、その一側上下部を前記機枠１の一側上下部に設けた軸支部３によって軸支することにより回動自在に装着されている。この前面枠２の中央には、方形状の窓口４が開設されている。そして、前面枠２の裏側に遊技盤５が配置固定され、その前面の遊技領域５ａが前記窓口４に臨むようになっている。
【００１１】
前記前面枠２の窓口４に、遊技盤５前面の遊技領域５ａを覆う２枚の透明板であるガラス板６を備えた透明板保持枠７及び遊技盤５の下部を覆う前面板８が、いずれもその一側を軸支することにより回動自在に装着されている。前記前面板８の前面に、弾球であるパチンコ球を打球発射部（図示せず。）に供給するための打球供給皿９が装着されている。また、前記前面枠２の下部前面には、前記打球供給皿９から溢れるパチンコ球を貯留する余剰球受皿１０が装着されている。１１は、前面枠２の下部前面の一側に設けられ、打ち出されるパチンコ球の打球力の強弱を調節する操作ハンドルである。
【００１２】
前記遊技盤５の前面に、遊技領域５ａを囲う内側ガイドレール１２と外側ガイドレール１３とが渦巻き状に敷設されている。前記遊技領域５ａには、そのほぼ中央にセンター役物１５が配置される。このセンター役物１５は額縁状に成形され、奥端部の表示窓に液晶表示装置１４の表示面１４ａが臨み、前側から見られるようになっている。また、センター役物１５の下方に、パチンコ球の入賞により前記表示面１４ａに表示される文字、数字、図形等を変動させる始動入賞口１６が配設される。更に、その下方に、前記変動した文字等が一定の時間経過後に停止し、そのときの組合せが特定の組合せ（例えば「７７７」）を示し、遊技者にとって有利な特別遊技状態になったとき、一定の条件の下で開閉扉１７ａを所定回数開成させ一度に多くの入賞球が得られる大入賞口１７が配設されている。前記始動入賞口１６は、パチンコ球が入賞し難い起立またはパチンコ球が入賞し易い傾動位置に自在に変換可能な一対の可動翼片１８，１８を有している。
【００１３】
前記センター役物１５の両側やや下方位置に一般入賞口１９が配設され、これら一般入賞口１９の上方位置にはパチンコ球が通過することによりそれを検知し、前記始動入賞口１６の一対の可動翼片１８，１８をパチンコ球が受入れ易いように傾動させるための通過チャッカー２０が配設されている。２１は、前記遊技領域５ａの適宜位置に回転自在に装着され、流下するパチンコ球の流れを変えて面白みを出させるための風車であり、２２は障害釘である。遊技領域５ａの下部に、流下して前記始動入賞口１６、一般入賞口１９などに入賞しなかったパチンコ球をアウト球として遊技盤５の後方へ回収するアウト球口２３が開設されている。
【００１４】
前記センター役物１５は、図２、図３に示すように額縁状の枠本体部２４を有し、その前端に取付板２５が設けられると共にその取付板２５が遊技盤５面に当接しビス止めして固定されている。また、枠本体部２４の上部には、図１に示すように飾り板２６が設けられる。この飾り板２６には、中央に７セグメント型の表示部２７が設けられる。これは、前記通過チャッカー２０をパチンコ球が通過することにより、電気的に作動して数字を変動させ一定時間経過後に停止していずれかの数字を表示するものである。そして、その数字があらかじめ決められた特定の数字のときには、前記始動入賞口１６の一対の可動翼片１８，１８が決められた時間（例えば、０．８秒）開いてパチンコ球が入賞し易くなるようにしている。飾り板２６の下縁には、左右に２個づつ合計４個の保留ランプ２８が配置されている。これは、前記始動入賞口１６に連続してパチンコ球が入賞したとき、前記表示面１４ａの文字等が変動する回数が最高４回まで貯留できるようになっており、その個数を点灯させて表示するためのものである。
【００１５】
前記枠本体部２４の下側には、パチンコ球が転動するステージ２９が形成される。このステージ２９は、奥端部に設けられ上面がほぼ水平な第一ステージ２９ａと、その前側に設けられ第一ステージ２９ａよりも上面が低い第二ステージ２９ｂとからなる。第二ステージ２９ｂは、その中央部が切除されて凹窪部３０が設けられ、その凹窪部３０内に本発明に係る球遊び装置Ａが配置されている。
【００１６】
前記球遊び装置Ａは、ほぼ水平かつ前後に並置される一対の支持棒３１，３１と、該各支持棒３１をその中心軸線と直交する面内で回転させる駆動手段３２と、を備えている。前記各支持棒３１は、金属製であって全体に均等な外径となるように成形され、第二ステージ２９ｂの両端部間に当たる部位に、その回転動作に伴い前記両支持棒３１，３１間にパチンコ球が乗るか落下するような変形部、すなわち、回転動作に伴い前記両支持棒３１，３１間にパチンコ球が乗るか落下するように外側または内側に湾曲する大小の湾曲部３１ａが複数成形されている。
【００１７】
各支持棒３１の両端側の直線部３１ｂ，３１ｂは、前記第二ステージ２９ｂの各両端部３３に貫設された軸受孔３４に挿通され、このうち、各一方の端部は枠本体部２４の一側から外側に突出しており、これらが前記駆動手段３２に連係される。更に詳しくは、各支持棒３１の突出端に互いに噛合する従動歯車３５が取着される。また、その近傍であって枠本体部２４の外側面に駆動モータ３６が取着され、そのモータ軸３７先端の駆動歯車３８が前記いずれか一方の従動歯車３５に噛合している。この場合は、前記駆動モータ３７が駆動することにより、各支持棒３１は互いに逆方向へ回転する。前記駆動モータ３７の替わりにパルスモータを使用すれば、両支持棒３１，３１の回転方向を正逆変えられることから、パチンコ球の全く異なった動きが楽しめる。
【００１８】
第一ステージ２９ａの中央部に球入口３９が設けられ、これと対応して第二ステージ２９ｂの下方部の前面に球通路４０を介して前記球入口３９と連通する球出口４１が開設されている。この球出口４１の下方には始動入賞口１６が配置されることとなる。また、枠本体部２４の両側には、上端にパチンコ球が流入する流入口４２が開設され、下端に前記流入したパチンコ球を前記第二ステージ２９ｂの両端部３３，３３上面に排出する流出口４３を開設したワープ通路４４が設けられている。
【００１９】
本発明に係る弾球遊技機は上記構成からなり、次に作用を説明する。前記両支持棒３１，３１は、互いに内側へ回転しており、図４に示すようにワープ通路４３に流入しその下端の流出口４３から流出されたパチンコ球Ｂ、または、遊技盤５面を流下する途中に跳ねて第二ステージ２９ｂ上面に乗ったパチンコ球Ｂなどは、両支持棒３１，３１間に乗りその上面で両支持棒３１，３１間に沿って転動する。その間に、例えば両支持棒３１，３１の中央部の湾曲部３１ａが互いに外側を向きその間にパチンコ球Ｂが通過できる間隔ができると、その間からパチンコ球が落下し、更に凹窪部３０の底面を転動してその前側縁から下方へ落下する。
【００２０】
一方、図５のように、例えば両支持棒３１，３１の中央部の湾曲部３１ａが互いに内側を向きその間の間隔が極端に狭くなると、その部分でパチンコ球Ｂがバランスを崩し、球入口３９へ流入するか、凹窪部３０の底面上に落下する。前記球入口３９に流入したパチンコ球Ｂは球出口４１から排出され始動入賞口１６に入る機会が多くなる。また、前記凹窪部３０の底面に落下したパチンコ球Ｂは転動してその前側縁から下方へ落下する。
【００２１】
このように、各支持棒３１に変形部である湾曲部３１ａを設けて成形するようにしているので、ステージ２９に集まり一対の支持棒３１，３１間の上面に乗るパチンコ球は、あたかも踊るように非常に変化に富んだ奇抜な動きをすることから、意外性の面白味が出て遊技者の目を楽しませることができ、しかも飽きることがない。変形部として緩やかに曲がる湾曲部３１ａを示したが、これ以外に、クランク状に折れ曲った屈曲部などであっても良い。
【００２２】
前記各支持棒３１，３１は、例えば、全体に均等な外径となるように成形され、かつその回転動作に伴い両支持棒３１，３１間にパチンコ球Ｂが乗るか落下するような湾曲部を設けて成形されているが、他に、図６に示すように各支持棒４５，４５の長手方向に沿って太径部４５ａと細径部４５ｂをランダムに設けるようにしても良い。これらの場合、前後の各支持棒４５は線対称であっても良いが、できれば非線対称の方がその上面に乗るパチンコ球Ｂの動きに変化が付けられ面白味が出る。
【００２３】
また、前記各支持棒３１，４５は、透明部材として、例えば透明な合成樹脂または硬質ガラスにより成形されることが好ましく、これにより、その上面に乗るパチンコ球があたかも宙に浮いているような錯覚を覚え、遊技の興趣が一層高められる。
【００２４】
更に、前記各支持棒３１は、互いに逆回転するようにしたが、中間歯車（図示せず。）などを介して従動歯車３５や駆動歯車３８の噛み合わせを変え、互いに正回転するようにしても良く、また、各従動歯車３５の歯数を変えて互いに回転数を異ならせるようにしても良く、更には、これらを自在に組合わせるようにしても良い。このように、各支持棒３１を互いに逆回転させ、また回転速度を変えることにより、その上面に乗るパチンコ球が変化に富んだ奇抜な動きをし、これにより遊技の興趣が一層高められる。
【００２５】
本発明にあっては、球遊び装置Ａをセンター役物１５内に一体に組み込んだ状態を示したが、これに限られることはなく、単独で遊技盤５面に装着するようにしても良い。また、支持棒３１を２本使用した例を示したが、可能であれば３本以上であっても良いこと勿論である。
【００２６】
【発明の効果】
以上説明したように、本発明に係る弾球遊技機は、球遊び装置が、ほぼ水平かつ前後に並置される複数本の支持棒と該各支持棒をその中心軸線と直交する面内で回転させる駆動手段とを備え、前記各支持棒は、その回転動作に伴い両支持棒間にパチンコ球が乗るか落下するような変形部を設けているので、複数本の支持棒間の上面に乗ったパチンコ球は、あたかも踊るように非常に変化に富んだ奇抜な動きをすることから、意外性の面白味が出て遊技者の目を楽しませることができ、しかも飽きることがない。これにより、遊技の興趣が高められるという効果がある。
【００２７】
前記各支持棒を、例えば、全体に均等な外径となるようにし、かつ、その回転動作に伴い両支持棒間にパチンコ球が乗るか落下するような湾曲部を設けて成形すれば、パチンコ球の動きに変化が付けられ面白味が出る。
【００２８】
また、前記各支持棒を、透明部材として、例えば透明な合成樹脂または硬質ガラスにより成形すれば、その上面に乗るパチンコ球があたかも宙に浮いているような錯覚を覚え、遊技の興趣が一層高められる。
【００２９】
更に、前記各支持棒を、正逆回転可能に設けるようにすれば、その上面に乗るパチンコ球が変化に富んだ奇抜な動きをする。これにより、遊技の興趣が一層高められる。
【図面の簡単な説明】
【図１】本発明が適用されるパチンコ遊技機の正面図。
【図２】図１のＸ−Ｘ線断面図。
【図３】図２のＹ−Ｙ線断面図。
【図４】作用を示す要部の斜視図。
【図５】作用を示す要部の斜視図。
【図６】他の実施の形態に係る支持棒の平面図。
５                  遊技盤
５ａ                遊技領域
３１                支持棒
３１ａ              湾曲部
３２                駆動手段
４５                支持棒
４５ａ              太径部
４５ｂ              細径部
Ａ                  球遊び装置
Ｂ                  弾球（パチンコ球）
Ｐ                  弾球遊技機（パチンコ遊技機）
【図１】
2004159931.tif 000003
【図２】
2004159931.tif 000004
【図３】
2004159931.tif 000005
【図４】
2004159931.tif 000006
【図５】
2004159931.tif 000007
【図６】
2004159931.tif 000008